(57)【要約】【課題】会議や講演においてスライドや映像を映写（投影ともいう）するための見易いスクリーンと筆記用の書き込みを行うことができるホワイトボードの両方の機能を備えた装置を安価に提供する。【解決手段】プロジェクタを装着するためのプロジェクタ装着部と、前記プロジェクタから映写される各種映像を映し出す透過スクリーンと、前記透過スクリーンを支持する基台と、を備えるプレゼンテーション装置。前記プレゼンテーション装置は、ホワイトボードをさらに備え、前記基台は、前記透過スクリーンとホワイトボードとを支持するようにしてもよい。【選択図】      図１
2004252345.tif 000002
【特許請求の範囲】
【請求項１】
プロジェクタを装着するためのプロジェクタ装着部と、
前記プロジェクタから映写される各種映像を映し出す透過スクリーンと、
前記透過スクリーンを支持する基台と、
を備えるプレゼンテーション装置。
【請求項２】
ホワイトボードをさらに備え、
前記基台は、前記透過スクリーンとホワイトボードとを支持する請求項１に記載のプレゼンテーション装置。
【請求項３】
前記透過スクリーンとホワイトボードはそれぞれ略矩形に成形されている請求項２に記載のプレゼンテーション装置。
【請求項４】
前記透過スクリーンとホワイトボードは隣接している請求項３に記載のプレゼンテーション装置。
【請求項５】
前記透過スクリーンとホワイトボードは面一である請求項４に記載のプレゼンテーション装置。
【請求項６】
前記プロジェクタ装着部は、その装着されたプロジェクタを前記基台に対してスライドさせるスライド機構を有する請求項１又は２に記載のプレゼンテーション装置。
【請求項７】
前記プロジェクタ装着部は、その装着されたプロジェクタを前記基台に対して角度調節させる角度調節機構を有する請求項１又は２に記載のプレゼンテーション装置。
【請求項８】
前記透過スクリーンは、少なくともスクリーンシート層、透明パネル層の順に積層された構造のスクリーンである請求項１から７のいずれかに記載のプレゼンテーション装置。
【請求項９】
前記透過スクリーンには、さらに前記スクリーンシート層を保護する保護層が積層されている請求項８に記載のプレゼンテーション装置。
【請求項１０】
前記保護層は、透明パネル層である請求項９に記載のプレゼンテーション装置。
【請求項１１】
反射板をさらに備え、
前記プロジェクタ装着部に装着されたプロジェクタは、各種映像を前記反射板を介して前記透過スクリーンに映し出す請求項１から１０のいずれかに記載のプレゼンテーション装置。
【請求項１２】
前記反射板は、前記基台にヒンジ部を介してヒンジ結合されている請求項１１に記載のプレゼンテーション装置。
【請求項１３】
前記ヒンジ部は、前記基台上部に設けられている請求項１２に記載のプレゼンテーション装置。
【発明の詳細な説明】
【０００１】
【発明の属する技術分野】
本発明は、会議や講演等においてスライドや映像を映写（投影ともいう）するスクリーンと筆記用のホワイトボードの両方の機能を備えたプレゼンテーション装置に関する。
【０００２】
【従来の技術】
従来、プレゼンテーション装置としては、表示部材上に書き込んだ内容を読み取ってその表示部材上に再びきれいに表示できるようにしたもの（特許文献１参照）、可撓性に優れたホワイトボード兼用反射型スクリーン用シートを用いたもの（特許文献２参照）、表裏反転させることにより筆記ボードとして使用したり、スクリーンとして使用したりできるもの（特許文献３参照）が知られている。
【０００３】
【特許文献１】
特開平１１−３８９０２号公報
【特許文献２】
特開平１０−２６８４２７号公報
【特許文献３】
特開平８−１４２５８１号公報
【０００４】
【発明が解決しようとする課題】
しかしながら、これらはいずれも高機能なスクリーン兼用タイプであり、装置構成が大がかりになる上、その価格も比較的高価であるという問題がある。
【０００５】
本発明は、会議や講演においてスライドや映像を映写（投影ともいう）するための見易いスクリーンと筆記用の書き込みを行うことができるホワイトボードの両方の機能を備えた装置を安価に提供することを目的とする。
【０００６】
【課題を解決するための手段】
本発明は、上記課題を解決するためになされたものであり、プレゼンテーション装置であって、プロジェクタを装着するためのプロジェクタ装着部と、前記プロジェクタから映写される各種映像を映し出す透過スクリーンと、前記透過スクリーンを支持する基台と、を備える構成とした。
【０００７】
本発明によれば、プロジェクタ装着部を備えているため、市販のプロジェクタをこれに装着してプレゼンテーションに利用することができる。また、透過スクリーンは、プロジェクタからの各種映像を映し出すスクリーンとして機能するとともに、その表面にホワイトボード専用ペン等により書き込み、又は消去できるというホワイトボードとしても機能する。したがって、従来のプレゼンテーション装置に比較して、極めてシンプルに、かつ、安価に製造することが可能となる。
【０００８】
上記プレゼンテーション装置においては、例えば、ホワイトボードをさらに備え、前記基台は、前記透過スクリーンとホワイトボードとを支持する。
【０００９】
このようにすれば、ホワイトボードに書き込むことが可能となるため、その書き込み内容の視認性が向上する。
【００１０】
また、上記プレゼンテーション装置においては、例えば、前記透過スクリーンとホワイトボードはそれぞれ略矩形に成形されている。
【００１１】
このようにすれば、透過スクリーンとホワイトボードとを隣接させてそれらの表面が面一となるように配置された一枚の書き込みボードを形成することが可能となる。これは、書き込みしやすくなることを意味する。
【００１２】
また、上記プレゼンテーション装置においては、例えば、前記透過スクリーンとホワイトボードは隣接している。
【００１３】
このようにすれば、透過スクリーンとホワイトボード間の視線の移動量が少なくなるため、透過スクリーンに映写される各種映像とホワイトボードに書き込んまれたその映像に関する説明等とを対比しやすくなる。
【００１４】
また、上記プレゼンテーション装置においては、例えば、前記透過スクリーンとホワイトボードは面一である。
【００１５】
このようにすれば、透過スクリーンとホワイトボードの継ぎ目においてホワイトボード専用ペン等による書き込みが引っかかることなく、スムースに書き込める。
【００１６】
また、上記プレゼンテーション装置においては、例えば、前記プロジェクタ装着部は、その装着されたプロジェクタを前記基台に対してスライドさせるスライド機構を有する。
【００１７】
これにより、プロジェクタからの各種映像を適切に透過スクリーンに映し出すことが可能となる。
【００１８】
また、上記プレゼンテーション装置においては、例えば、前記プロジェクタ装着部は、その装着されたプロジェクタを前記基台に対して角度調節させる角度調節機構を有する。
【００１９】
これにより、プロジェクタＰからの各種映像が適切に透過スクリーンに映し出すことが可能となる。
【００２０】
また、上記プレゼンテーション装置においては、例えば、前記透過スクリーンは、少なくともスクリーンシート層、透明パネル層の順に積層された構造のスクリーンである。これは、透過スクリーンの構成の一例を示したものである。
【００２１】
このようにすれば、その透明パネル層表面にホワイトボード専用ペン等で書き込み、又は消去することが可能となる。
【００２２】
また、上記プレゼンテーション装置においては、例えば、前記透過スクリーンには、さらに前記スクリーンシート層を保護する保護層が積層されていてもよい。前記保護層は、例えば、透明パネル層である。
【００２３】
このようにすれば、スクリーンシート層を保護することが可能となる。
【００２４】
また、上記プレゼンテーション装置においては、例えば、反射板をさらに備え、前記プロジェクタ装着部に装着されたプロジェクタは、各種映像を前記反射板を介して前記透過スクリーンに映し出す。
【００２５】
このようにすれば、映写距離を比較的省スペースで得ることが可能となるため、プレゼンテーション装置を小型化できる。また、反射板が透過スクリーンを覆う形になることから、透過スクリーン背面に影を造ることになる。これにより透過スクリーン正面からの映像の視認性を高めることが可能となる。
【００２６】
また、上記プレゼンテーション装置においては、例えば、前記反射板は、前記基台にヒンジ結合されている。なお、透過スクリーン背面に影を造るためには、前記ヒンジ部は、前記基台上部に設けることが望ましい。
【００２７】
このようにすれば、収納時に小型化できる。また、この反射板の角度調整が可能となるため、プロジェクタからの各種映像を適切に透過スクリーンに映し出すことも可能となる。
【００２８】
【発明の実施の形態】
以下、本発明の実施の形態であるプレゼンテーション装置について図面を参照しながら説明する。図１は、本発明の一実施の形態であるプレゼンテーション装置の概略構成を説明するための図である。図２は、透過スクリーンの構造を説明するための図である。図３は、本実施形態のプレゼンテーション装置の側面図である。
【００２９】
プレゼンテーション装置１００は、会議や講演等におけるプレゼンテーション等のために用いられる装置である。
【００３０】
図１に示すように、プレゼンテーション装置１００は、透過スクリーン１１０、基台１２０、プロジェクタ装着部１３０、反射板１４０、センサ１５０、及びスピーカ１６０等を備えている。
【００３１】
透過スクリーン１１０は、プロジェクタ装着部１３０に装着されたプロジェクタＰから映写（投影ともいう）される各種映像を映し出すためのスクリーンである。透過スクリーン１１０は、略矩形に成形されており、図２に示すように、保護層Ｓ１、スクリーンシート層Ｓ２、透明パネル層Ｓ３の順に積層された積層構造（３層構造）のスクリーンである。保護層Ｓ１は、スクリーンシート層Ｓ２を保護するためのものであり、例えば、無反射加工を施したアクリル板、強化プラスチック板、又はガラス板等からなる透明の材質である。透明パネル層Ｓ３は、例えば、アクリル板、強化プラスチック板、又はガラス板からなる透明板である。なお、保護層Ｓ１として、透明パネル層Ｓ３と同様の材質のものを用いてもよい。スクリーンシート層Ｓ２は、例えば、市販の透過型スクリーンである。これは、半透明の映写用スクリーンシートであり、その表面にはプロジェクタＰから映写される映像が映し出されるスクリーン面が、その反対側の面にはシール面が、それぞれ形成されている。透過型スクリーンは、通常そのシール面を介して店頭のショーウインドウ等に貼り付けられて使用される。
【００３２】
本実施形態では、この透過型スクリーンを透明パネル層Ｓ３の片面にそのシール面を介して貼り付ける。そして、その透過型スクリーン表面を保護層Ｓ１で覆う。これにより、サンドイッチ構造の透過スクリーン１１０を得る（図２参照）。このように、保護層Ｓ１を設けたので、スクリーンシート層Ｓ２を保護することが可能となる。また、その透明パネル層Ｓ３表面にホワイトボード専用ペン等で書き込み、又は消去することが可能となる。
【００３３】
基台１２０は、透過スクリーン１１０を支持するためのものである。基台１２０は、透過スクリーン１１０を補強するフレーム枠１２１、そのフレーム枠１２１をその左右から支持する一対の脚部１２２、１２２、及びそれらの一対の脚部１２２、１２２間を連結する補強部材１２３、１２４を備えている。
【００３４】
一対の脚部１２２、１２２は、鉛直方向に延びる棒状部材であり、フレーム枠１２１を安定して支持するために、それらの下端がそれぞれＴ字状に形成されている。また、脚部１２２、１２２は、それらのほぼ中央同士及び下端付近同士が水平方向に延びる棒状の補強部材１２３、１２４によってそれぞれ連結されている。このため、プレゼンテーション装置１００を安定した姿勢で使用することが可能となっている。
【００３５】
脚部１２２、１２２の上端には、フレーム枠１２１の左右フレーム略中央部分が回転可能に取り付けられている。この取り付け方法は既存のホワイトボード等と同様である。従って、透過スクリーン１１０の角度調整が可能となっている。これにより、書き込み内容等の視認性が向上する。
【００３６】
基台１２０（フレーム枠１２１）には、プロジェクタＰから映写される各種映像を反射して透過スクリーン１１０に映し出すための反射板１４０が透過スクリーン１１０上部に対応するフレーム枠１２１部分にヒンジ部１２５を介してヒンジ結合されている。反射板１４０はプロジェクタＰから映写される各種映像を反射できるものであればよく、その材質は特に限定されない。例えば、その表面が鏡面仕上げのアルミ素材、アクリル板、ガラス板、又はミラーを反射板１４０とすることが可能である。図３に示すように、反射板１４０は、ヒンジ部１２５を介して、透過スクリーン１１０にほぼ面接触する収納位置Ｐ０と透過スクリーン１１０に対して所定角度をなす使用位置Ｐ１との間を揺動可能となっている。
【００３７】
また、反射板１４０の側面略中央部分と一方の脚部１２２の略中央部分には、角度調節アーム１４１の両端がそれぞれヒンジ部Ｈ１、Ｈ２を介して連結されている。図３に示すように、角度調節アーム１４１は、所定長さの筒状部材１４１ａと、これよりも小径でその筒状部材１４１ａと同軸でこれに出し入れされる棒状部材１４１ｂと、筒状部材１４１ａ内面からその外面に貫通するねじ穴１４１ｃと、このねじ穴１４１ｃにねじ止めされるねじ１４１ｄと、を備える。
【００３８】
従って、反射板１４０を透過スクリーン１１０に対して所定角度をなすようにに揺動させ、ねじ１４１ｄを締めつけることで、反射板１４０は透過スクリーン１１０に対して所定角度姿勢を維持することが可能となっている。このように、反射板１４０の透過スクリーン１１０に対する角度を調整することにより、プロジェクタＰからの各種映像を適切に透過スクリーン１１０に映し出すことが可能となっている。
【００３９】
このように、透過スクリーン１１０の背面から屈折（反射板１４０）を利用して映写するようにしたので、映写距離を比較的省スペースで得ることが可能となり、プレゼンテーション装置１００を小型化できる。また、反射板１４０が透過スクリーン１１０の背面をあたかも屋根のように覆う形になることから、透過スクリーン１１０背面に影を造ることになる。これにより透過スクリーン１１０正面からの映像の視認性を高めることが可能となる。このために、反射板１４０は、透過スクリーン１１０と略同幅の略矩形に成形されているが、その長さは透過スクリーン１１０よりも若干長く成形されている（図３等参照）。
【００４０】
また、基台１２０（補強部材１２４）には、プロジェクタ装着部１３０が設けられている。プロジェクタ装着部１３０は、プロジェクタＰを装着するためのものである。プロジェクタＰは、これにパーソナルコンピュータ等の情報処理端末等（図示せず）が接続されるようになっており、その情報処理端末等から入力される各種映像等（スライド、動画、静止画等の各種映像）を映写する機能を有する。このように、プロジェクタ装着部１３０を設けたので、プロジェクタＰとして、市販の各種の（汎用の）プロジェクタを使用可能となっている。また、プロジェクタＰを着脱可能であるため、収納時にはコンパクト化できる。
【００４１】
プロジェクタ装着部１３０は、その装着されたプロジェクタＰを基台１２０（反射板１４０）に対して前後スライドさせるスライド機構、及びその装着されたプロジェクタＰを基台１２０（反射板１４０）に対して角度調節させる角度調節機構を備える。従って、これら機構を調整することにより、プロジェクタＰから映写される各種映像を適切に透過スクリーン１１０に映し出すことが可能となっている。
【００４２】
スライド機構としては各種のものが考えられる。例えば、プロジェクタ装着部１３０を、プロジェクタ装着部本体１３１と、このプロジェクタ装着部本体１３１に取り付けられた前後に延びるレール（図示せず）と、このレールを介してプロジェクタ装着部本体１３１に取り付けられる、プロジェクタＰをねじ止め等により固定可能なプロジェクタ載置プレート（図示せず）と、そのプロジェクタ載置プレートを所定位置にねじ止め固定するねじ止め部（図示せず）と、により構成する。これにより、プロジェクタＰは、プロジェクタ載置プレートのレールに沿っての移動により前後スライド可能となる。
【００４３】
また、角度調節機構としても各種のものが考えられる。例えば、プロジェクタ装着部１３０を、補強部材１２４に回転可能に取り付けるベアリング部Ｂと、そのプロジェクタ装着部１３０を所定位置にねじ止め固定するねじ止め部（図示せず）と、により構成する。これにより、プロジェクタＰは、ベアリング部Ｂを介して角度調整可能となる。
【００４４】
また、基台１２０（フレーム枠１２１右部分等）には、市販のセンサ１６０及びスピーカ１７０等を装着可能となっている。
【００４５】
センサ１５０は、ホワイトボード専用ペン等の動きを感知して、パソコン等の情報処理端末に入力するためのものである。情報処理端末は、それらのデータを保存、表示、印刷する。スピーカ１６０は、例えば、プレゼンテーション装置１００の利用者の発する音声等を出力するためのものである。これらを利用することにより、プレゼンテーションを効果的に行うことが可能となっている。
【００４６】
次に、上記構成のプレゼンテーション装置の使用例について図面を参照しながら説明する。
【００４７】
プレゼンテーション装置１００の使用に際しては、まずネジ１４１ｄを緩めて、図３に示すように、反射板１４０を、その収納位置Ｐ０から使用位置Ｐ１へ位置させて、ネジ１４１ｄを締め付けることにより、透過スクリーン１１０に対して所定角度姿勢とする。これとともに、プロジェクタＰを、プロジェクタ装着部１３０に反射板１４０を介して映写可能な姿勢（図１、図３参照）で装着する。これにより、プロジェクタＰから映写される各種映像は反射板１４０を介して透過スクリーン１１０に映し出されることになる。
【００４８】
しかしながら、プロジェクタＰを装着した初期状態では、通常プロジェクタＰから映写される映像は透過スクリーン１１０に対して上下にずれて映し出されたり、ぼやけて映し出される等不具合が生じていることが多い。このため、プロジェクタ装着部１３０のスライド機構や角度調整機構を調整する。反射板１４０の角度調整を行ってもよい。これらの調整を適切に行うことで、プロジェクタＰからの各種映像が適切に透過スクリーン１１０に映し出されるようになる。
【００４９】
なお、プロジェクタＰからの映像は反射板１４０を介して透過スクリーン１１０背面から映写されるが、利用者（プレゼンテーションされる側等）は、プレゼンテーション装置１００（透過スクリーン１１０）正面からその映像を視認することになる。
【００５０】
以後、プレゼンテーションの進行等に応じて、プロジェクタＰは、これに接続されているパーソナルコンピュータ等の情報処理端末等から入力される各種映像等（スライド、動画、静止画等の各種映像）を透過スクリーン１１０に映写する。本実施形態においては、透過スクリーン１１０表面は透明パネル層Ｓ３となっているため、その透明パネル層Ｓ３表面にホワイトボード専用ペン等により書き込み、又は消去できるようになっている。即ち、映像に重畳して書き込めるため、プレゼンテーションをより効果的に進めることが可能となっている。なお、映像を映写しない場合であってもホワイトボードとしても機能する。また、反射板１４０が透過スクリーン１１０の背面をあたかも屋根のように覆う形になることから、透過スクリーン１１０背面に影を造ることになる。これにより透過スクリーン１１０正面からの映像の視認性を高めることが可能となる。
【００５１】
次に、本発明の他の実施の形態であるプレゼンテーション装置について図面を参照しながら説明する。図４は、本発明の他の実施の形態であるプレゼンテーション装置の概略構成を説明するための図である。図５は、透過スクリーンの構造を説明するための図である。本実施形態のプレゼンテーション装置の側面図は図３と同様であるので省略する。
【００５２】
図４に示すように、本実施形態のプレゼンテーション装置は、図１等を参照しながら説明した上記実施形態のプレゼンテーション装置に、さらにホワイトボード１７０を設けた構成となっている。他の構成要素については、上記実施形態のプレゼンテーション装置と同様であるので、同一の符号を付して説明する。
【００５３】
ホワイトボード１７０は、その表面（通常白色で、罫線等が描かれていることもある）にホワイトボード専用ペン等で書き込み、又は消去することが可能なボードであり、いわゆるホワイトボードと称されるものである。ホワイトボード１７０は、透過スクリーン１１０と同様に、略矩形に成形されている。これにより、このホワイトボード１７０と透過スクリーン１１０とを隣接させてそれらの表面が面一となるように配置された一枚の書き込みボードを形成することが可能となる。
【００５４】
本実施形態においては、基台１２０は、透過スクリーン１１０とホワイトボード１７０（からなる書き込みボード）を支持する。基台１２０は、透過スクリーン１１０とホワイトボード１７０からなる書き込みボードを補強するフレーム枠１２１、そのフレーム枠１２１をその左右から支持する一対の脚部１２２、１２２、及びそれらの一対の脚部１２２、１２２間を連結する補強部材１２３、１２４を備えている。これは、上記実施形態と同様である。
【００５５】
次に、上記構成のプレゼンテーション装置の使用例について図面を参照しながら説明する。
【００５６】
プレゼンテーション装置１００の使用に際しては、まずネジ１４１ｄを緩めて、図３に示すように、反射板１４０を、その収納位置Ｐ０から使用位置Ｐ１へ位置させて、ネジ１４１ｄを締め付けることにより、透過スクリーン１１０に対して所定角度姿勢とする。これとともに、プロジェクタＰを、プロジェクタ装着部１３０にプロジェクタＰからの映像を反射板１４０を介して映写可能な姿勢（図３、図４参照）で装着する。これにより、プロジェクタＰから映写される各種映像は反射板１４０を介して透過スクリーン１１０に映し出されることになる。
【００５７】
しかしながら、プロジェクタＰを装着した初期状態では、通常プロジェクタＰから映写される映像は透過スクリーン１１０に対して上下にずれて映し出されたり、ぼやけて映し出される等不具合が生じていることが多い。このため、プロジェクタ装着部１３０のスライド機構や角度調整機構を調整する。反射板１４０の角度調整を行ってもよい。これらの調整を適切に行うことで、プロジェクタＰからの各種映像が適切に透過スクリーン１１０に映し出されるようになる。
【００５８】
なお、プロジェクタＰからの映像は反射板１４０を介して透過スクリーン１１０背面から映写されるが、利用者（プレゼンテーションされる側等）は、プレゼンテーション装置１００（透過スクリーン１１０）正面からその映像を視認することになる。
【００５９】
以後、プレゼンテーションの進行等に応じて、プロジェクタＰは、これに接続されているパーソナルコンピュータ等の情報処理端末等から入力される各種映像等（スライド、動画、静止画等の各種映像）を透過スクリーン１１０に映写する。そして、必要に応じて、透過スクリーン１１０に映し出される映像に関する説明等をホワイトボード１７０へホワイトボード専用ペン等により書き込み、又は消去する。本実施形態においては、透過スクリーン１１０とホワイトボード１７０とを隣接して配置したため、プレゼンテーションをより効果的に進めることが可能となっている。また、透過スクリーン１１０表面は透明パネル層Ｓ３となっているため、その透明パネル層Ｓ３表面にホワイトボード専用ペン等により書き込み、又は消去できるようになっている。即ち、映像に重畳して書き込めるため、プレゼンテーションをより効果的に進めることが可能となっている。また、透過スクリーン１１０とホワイトボード１７０とは、これらを隣接させてそれらの表面が面一となるように配置された一枚の書き込みボードとして構成されているため、その継ぎ目においてホワイトボード専用ペン等による書き込みが引っかかることなく、スムースに書き込める。また、視認性も向上する。さらに、反射板１４０が透過スクリーン１１０の背面をあたかも屋根のように覆う形になることから、透過スクリーン１１０背面に影を造ることになる。これにより透過スクリーン１１０正面からの映像の視認性を高めることが可能となる。
【００６０】
次に、上記構成のプレゼンテーション装置１００の変形例について説明する。
【００６１】
上記実施形態においては、透過スクリーン１１０は、保護層Ｓ１、スクリーンシート層Ｓ２、及び透明パネル層Ｓ３からなるサンドイッチ構造であるように説明したが、本発明はこれに限定されない。例えば、スクリーン層Ｓ２、及び透明パネル層Ｓ３からなる２層構造としてもよい。
【００６２】
また、上記実施形態においては、反射板１４０は透過スクリーン１１０上部に対応するフレーム枠１２１部分にヒンジ部１２５を介してヒンジ結合されているように説明したが、本発明はこれに限定されない。例えば、反射板１４０は透過スクリーン１１０下部、左部、又は右部のいずれかに対応するフレーム枠１２１部分にヒンジ部１２５を介してヒンジ結合してもよい。
【００６３】
また、上記実施形態においては、ホワイトボード１７０は、その表面にホワイトボード専用ペン等で書き込んだり、消去することが可能なボードであるように説明したが本発明はこれに限定されない。このようなホワイトボードとしての機能を有するのであれば、特にその構造は問わない。例えば、ホワイトボード１７０は、その表面に書き込み面として機能するホワイトシートが貼り付け固定等されている板状の構造であってもよいし、書き込み面として機能するホワイトシート等をロール等に巻き取りしつつ、新規書き込み面を出現させるような構造であってもよい。
【００６４】
また、上記実施形態においては、透過スクリーン１１０とホワイトボード１７０とは左右に配置されるように説明したが、本発明はこれに限定されない。例えば、上下に配置してもよいし、斜めに配置してもよい。また、これらは略矩形に成形されているように説明したが、本発明はこれに限定されない。例えば、それぞれが円形に成形されていてもよいし、その他各種の形状に成形されていてもよい。
【００６５】
また、上記実施形態においては、プロジェクタＰからの映像は反射板１４０を介して映写されるように説明したが、本発明はこれに限定されない。例えば、反射板１４０を介することなく、直接に透過スクリーン１１０に映写するようにしてもよい。なお、この場合、プロジェクタＰからの映像を反転して映写する必要があるが、これは、例えば、情報処理端末等において反転した映像をプロジェクタＰへ入力することで実現可能である。
【００６６】
本発明は、その精神または主要な特徴から逸脱することなく、他の様々な形で実施することができる。このため、上記の実施形態はあらゆる点で単なる例示にすぎず、これらの記載によって本発明が限定的に解釈されるものではない。
【００６７】
【発明の効果】
以上説明したように、本発明によれば、会議や講演においてスライドや映像を映写（投影ともいう）するための見易いスクリーンと筆記用の書き込みを行うことができるホワイトボードの両方の機能を備えた装置を安価に提供することが可能となる。
【図面の簡単な説明】
【図１】本実施形態のプレゼンテーション装置の概略構成を説明するための図である。
【図２】透過スクリーンの構造を説明するための図である。
【図３】本実施形態のプレゼンテーション装置の側面図である。
【図４】他の実施形態のプレゼンテーション装置の概略構成を説明するための図である。
【図５】透過スクリーンの構造を説明するための図である。
【符号の説明】
１００      プレゼンテーション装置
１１０      透過スクリーン
１２０      基台
１３０      プロジェクタ装着部
１４０      反射板
１５０      センサ
１６０      スピーカ
１７０      ホワイトボード
【図１】
2004252345.tif 000003
【図２】
2004252345.tif 000004
【図３】
2004252345.tif 000005
【図４】
2004252345.tif 000006
【図５】
2004252345.tif 000007